(57)【要約】【課題】ケーブルの抜き差し時における作業性、保守作業効率がよいケーブル接続装置を提供する。【解決手段】シェルフにユニットカードを搭載し、ユニットカードにケーブルを接続するケーブル接続装置において、ユニットカードは、後部端に配置されたバックパネル挿入コネクタと、サブカードと、サブカードに連結される回動可能な挿抜レバーを備える。ユニットカードとサブカードとは、可動状態で取り付けられ、サブカードに、ケーブルコネクタプラグが可動状態で取り付けられる。挿抜レバーの回動動作により、サブカードがシェルフのバックパネル側に移動するときに、ケーブルコネクタプラグが上方向に移動し、シェルフのコネクタ受け部と嵌合する。【選択図】  図３
2015211084.tif 000002
【特許請求の範囲】
【請求項１】
シェルフにユニットカードを搭載し、前記ユニットカードにケーブルを接続するケーブル接続装置であって、
前記ユニットカードは、該シェルフのバックパネルコネクタに挿入されるバックパネル挿入コネクタと、サブカードと、該サブカードに連結される、回動可能な挿抜レバーを備え、
前記ユニットカードと前記サブカードとは可動状態で取り付けられ、
前記サブカードに、ケーブルコネクタプラグが可動状態で取り付けられ、
前記挿抜レバーの回動動作により、前記サブカードが前記シェルフのバックパネル側に移動するときに、前記ケーブルコネクタプラグが上方向に移動して、前記シェルフのコネクタ受け部と嵌合することを特徴とするケーブル接続装置。
【請求項２】
前記挿抜レバーの回動動作により、前記サブカードが前記シェルフのフロント側に移動するときに、前記ケーブルコネクタプラグが下方向に移動し、前記シェルフのコネクタ受け部からはずれることを特徴とする請求項１記載のケーブル接続装置。
【請求項３】
前記サブカードは、前記ユニットカードの第一の溝と、第二の溝とにより、各々第一の連結部と、第二の連結部によって連結されて、前記ユニットカードに対して可動状態で取り付けられ、
前記ケーブルコネクタプラグは、前記ユニットカードの前記第二の溝と、前記サブカードの第三の溝により、前記第二の連結部によって連結されて、可動状態で取り付けられ、
前記挿抜レバーは、前記サブカードのフロント側の一端に連結され、
前記挿抜レバーが第一の方向に回動するとき、挿抜レバーと連結された部材が、前記サブカードに作用して、前記サブカードは、前記第一の連結部が前記第一の溝を移動することにより、前記シェルフのバックパネル方向に移動し、
前記サブカードがバックパネル方向に移動することにより、前記第二の連結部が、前記ケーブルコネクタプラグが上方向に移動して、前記シェルフのコネクタ受け部と嵌合することを特徴とする請求項１記載のケーブル接続装置。
【請求項４】
前記挿抜レバーが、前記第一の方向と反対の方向に回動するとき、挿抜レバーと連結された部材が、前記サブカードに作用して、前記サブカードは、前記第一の連結部が前記第一の溝を移動することにより、前記シェルフのフロント方向に移動し、
前記サブカードがフロント方向に移動することにより、前記第二の連結部が、前記ケーブルコネクタプラグが下方向に移動して、前記シェルフのコネクタ受け部からはずれることを特徴とする請求項３記載のケーブル接続装置。
【発明の詳細な説明】
【技術分野】
【０００１】
本発明は、ケーブル接続装置に係り、特に、光ファイバケーブルを電子装置に接続する場合、作業効率の優れたケーブル接続装置に関する。
【背景技術】
【０００２】
電子装置（以下単に装置）にケーブルを接続する場合に、ユニットカードあるいはインターフェースカードと呼ばれる拡張カードを差込み、コネクタを接続し、拡張カードを介して、ケーブルを装置に接続する技術が一般的に行われている。
【０００３】
ここで、装置間を光ファイバケーブルで接続する技術として、主に以下の二つのものが知られている。
【０００４】
一つは、ユニットカードの前面部に光ファイバケーブル接続用のコネクタが実装されており、ユニットカードをシェルフに挿入・搭載した後、光ファイバケーブル接続用のコネクタを差し込む技術である。これは、いわゆる前面保守方式であるが、前面に光ファイバケーブル接続用のコネクタを差し込むと、光ファイバケーブルがユニットカード前面にあるステータス情報を表示するＬＥＤなどを隠してしまう可能性がある。また、ユニットカード交換の際には光ファイバケーブルを取外す必要が生じるため、保守の作業性も悪く、見た目にもよくない。
【０００５】
二つは、ユニットカードの背面側に光ファイバケーブル接続用のコネクタが実装されており、ユニットカードをシェルフに挿入・搭載と同時に、光ファイバケーブル接続用のコネクタをバックパネルに差し込む技術である。これは、いわゆる裏面保守方式であるため、裏面側での作業が発生し、作業効率も悪い。また、裏面での作業のため、ユニット前面のステータス情報を表示するＬＥＤなどを見ながら作業ができないなど、作業効率もよいとは言えない。
【０００６】
プリント配線基板を実装する技術として、例えば、特許文献１には、第１のコネクタ部材と、第２のコネクタ部材をフラットケーブルで接続し、それぞれに別のプリント配線基板を抜き差しできるようにすることにより、作業性を向上させる技術が開示されている。
【０００７】
また、別の回路基板を実装する技術として、例えば、特許文献２には、ＰＣＩカード等の回路基板に対して、リンクプレートを回動可能なように取り付け、リンクプレートのレバーを操作することにより、スムースに回路基板の抜き差しを可能とする技術が開示されている。
【先行技術文献】
【特許文献】
【０００８】
【特許文献１】特開平９−８２４５１号公報
【特許文献２】特開２０１１−２４８５６０号公報
【発明の概要】
【発明が解決しようとする課題】
【０００９】
上記のユニットカードを前面保守する方式においては、ユニットカードの前面に光ファイバケーブル接続用のコネクタが実装されており、ユニットカードをシェルフに搭載した後、光ファイバケーブル接続用のコネクタを接続する必要がある。このため、二段階の作業となり、作業性がよくない。
【００１０】
さらに、光ファイバケーブルを接続した後、光ファイバケーブルにより、ユニット前面のステータス情報を表示するＬＥＤが隠されてしまうことも考えられ、保守効率がよいとは言い難い。また、ユニットカードの交換の際、前面に接続された光ファイバケーブルをいったん取外す必要があるため、保守作業効率がよくない。
【００１１】
また、特許文献１に記載されたコネクタ挿抜装置においては、プリント配線基板の取り付けの作業効率について言及されているが、外部からケーブルを引き込む際の作業効率については考慮されていない。
【００１２】
さらに、特許文献２に記載された回路基板実装構造においても、回路基板自体を取り付けることについての作業効率について言及されているが、外部からケーブルを引き込む際の作業効率については考慮されていない。
【００１３】
本発明は、上記課題を解決するためになされたもので、その目的は、光ファイバケーブルをユニットカード経由で接続するケーブル接続装置において、ケーブルの抜き差し時における作業性がよく、保守作業効率がよいケーブル接続装置を提供することにある。
【課題を解決するための手段】
【００１４】
上記目的を達成するために、本発明に係るケーブル接続装置は、好ましくは、シェルフにユニットカードを搭載し、前記ユニットカードにケーブルを接続するケーブル接続装置であって、前記ユニットカードは、該シェルフのバックパネルコネクタに挿入されるバックパネル挿入コネクタと、サブカードと、該サブカードに連結される、回動可能な挿抜レバーを備え、
前記ユニットカードと前記サブカードとは可動状態で取り付けられ、
前記サブカードに、ケーブルコネクタプラグが可動状態で取り付けられ、
前記挿抜レバーの回動動作により、前記サブカードが前記シェルフのバックパネル側に移動するときに、前記ケーブルコネクタプラグが上方向に移動して、前記シェルフのコネクタ受け部と嵌合するように構成される。
【００１５】
また、好ましい例では、前記挿抜レバーの回動動作により、前記サブカードが前記シェルフのフロント側に移動するときに、前記ケーブルコネクタプラグが下方向に移動し、前記シェルフのコネクタ受け部からはずれるように構成される。
【発明の効果】
【００１６】
本発明によれば、ケーブルの抜き差し時における作業性がよく、保守作業効率がよいケーブル接続装置を提供することができる。
【図面の簡単な説明】
【００１７】
【図１】一実施形態に係るケーブル接続装置の斜視図である。
【図２】一実施形態に係るケーブル接続装置のシェルフにユニットカードを搭載する直前の状態を示す側面図である。
【図３】一実施形態に係るケーブル接続装置において、シェルフにユニットカードを搭載するときに、ユニットカードのコネクタが嵌合直前の状態を示す側面図である。
【図４】一実施形態に係るケーブル接続装置のシェルフにユニットカードを搭載し終わったときの状態を示す側面図である。
【図５】挿抜レバーとサブカードの連結の関係を示す側面図である。
【発明を実施するための形態】
【００１８】
以下、本発明に係る一実施形態を、図１ないし図５を用いて説明する。
図１は、ケーブル接続装置の斜視図である。図２は、ケーブル接続装置のシェルフにユニットカードを搭載する直前の状態を示す側面図である。図３は、ケーブル接続装置において、シェルフにユニットカードを搭載するときに、ユニットカードのコネクタが嵌合直前の状態を示す側面図である。図４は、ケーブル接続装置のシェルフにユニットカードを搭載し終わったときの状態を示す側面図である。図５は、挿抜レバーとサブカードの連結の関係を示す側面図である。
【００１９】
図１において、シェルフ（棚）１００は、外部装置と接続する光コネクタ受側（コネクタ受け部）１０２を有しており、外部装置に接続される光ケーブル１０３が、光コネクタ受側１０２に接続される。
【００２０】
ユニットカード２００は、シェルフ１００に前面部から挿入される形で複数枚搭載され、ユニットカードのバックパネル挿入コネクタ２０１により、シェルフ１００と連結される（図２〜図４）。また、外部装置と接続するシェルフの光コネクタ受側１０２とユニットカード２００の上部にある光コネクタプラグ（ケーブルコネクタプラグ）４００が連結され（図４）、光コネクタプラグ４００から光ケーブル２０３を経由して、外部装置との光通信を可能な状態とする。
【００２１】
図２に示すように、シェルフ１００の一端のバックパネル側には、バックパネルコネクタ１０１があり、上部には、シェルフ光コネクタ受側１０２が備わっている。シェルフ１００にユニットカード２００を搭載するときに、ユニットカード２００のバックパネル挿入コネクタ２０１が、バックパネルコネクタ１０１と嵌合し、シェルフ１００の光コネクタ受側１０２に、ユニットカード２００の光コネクタプラグ４００が嵌合し、光コネクタ受側１０２に外部装置との光通信をおこなうための光ケーブル１０３が引き回される。
【００２２】
ユニットカード２００には、側面にバックパネル挿入コネクタ２０１が配置され、上部に移動可能な状態でサブカード３００が取り付けられている。サブカード３００の上面には、光コネクタプラグ４００、サブカード３００を挿抜するための挿抜レバー５００が軸を中心に回転可能に設けられる。バックパネル挿入コネクタ２０１は、シェルフ１００のバックパネルコネクタ１０１と嵌合し、光コネクタプラグ４００は、シェルフ１００の光コネクタ受側１０２と嵌合し、挿抜レバー５００の回動操作によって、サブカード３００のユニットカード２００での相対位置が変更できるようになっている。
【００２３】
図３及び図４に示すように、サブカード３００は、挿抜レバー５００の楕円形のカム部によって前後に押し引きされ、ユニットカード２００のサブカードスライドガイド溝２０２において、ユニットカード２００とサブカード３００の連結部６００にて連結されており、ユニットカード２００上を前後に移動可能な構造となっている。
【００２４】
また、ユニットカード２００はコネクタ部スライドガイド溝１０４を有し、サブカード３００はコネクタ部スライドガイド溝３０１を有している。光コネクタプラグ４００は、ユニットカード２００のコネクタ部スライドガイド溝１０４とサブカード３００のコネクタ部スライドガイド溝３０１を貫通するようにして、光コネクタプラグ連結部６０１より連結されている。そして、サブカード３００の前後の移動に伴い、コネクタ部ユニットカードスライドガイド溝１０４とコネクタ部サブカードスライドガイド溝３０１の共通なルートに沿って、光コネクタプラグ連結部６０１が移動することによって、光コネクタプラグ４００が上下に動作可能な構成になっている。
【００２５】
次に、ユニットカード２００のバックパネル挿入コネクタ２０１とシェルフ１００のバックパネルコネクタ１０１が嵌合し、その後に、ユニットカード２００の光コネクタプラグ４００とシェルフ１００の光コネクタ受側１０２が嵌合するまでの様子について説明する。
【００２６】
すなわち、図３に示す状態から図４に示す状態になることにより、ユニットカード２００は、シェルフ１００に搭載されて固定され、光コネクタプラグ４００もシェルフ光コネクタ受側１０２とコネクタにより嵌合される。
【００２７】
先ず、作業者は、図３に示すコネクタが嵌合する直前の状態において、挿抜レバー５００の下側に示す矢印の方向に手動により引き下げる。この動作により、挿抜レバー５００は、シェルフ１００のバックパネル側に押し込まれ、シェルフ１００のバックパネルコネクタ１０１にユニットカードバックパネル挿入コネクタ２０１が嵌合され始める。
【００２８】
また、同時に挿抜レバー５００の楕円形のカム部によって、サブカード３００がサブカードスライドガイド溝２０２に沿って、ユニットカード２００とサブカード連結部６００にて連結されていることにより、シェルフ１００のバックパネル側に押し込まれる。光コネクタプラグ４００は、ユニットカード２００とサブカード３００と光コネクタプラグ連結部６０１により連結されており、コネクタ部スライドガイド溝３０１およびサブカード３００のコネクタ部スライドガイド溝３０１の共通ルートを動作するようになっていて、サブカード３００が奥側に押し込まれると、光コネクタプラグ４００は、上部に押し上げられるようになっている。その結果、挿抜レバー５００の操作にしたがって、光コネクタプラグ４００は、シェルフ光コネクタ受側１０２に押し込まれ、最終的に、光コネクタプラグ４００の先端のコネクタが光コネクタ受側１０２に嵌合される。
【００２９】
図４は、挿抜レバー５００によって、シェルフ１００の挿抜レバーロック受側１０５がロックされており、また、ユニットカード２００の光コネクタプラグ４００とシェルフ１００のシェルフ光コネクタ受側１０２も嵌合している状態を示している。
【００３０】
図４の矢印で示すように、挿抜レバー５００を持ち上げる方向に操作すると、サブカード３００は、シェルフのフロント側に移動し、それに伴い光コネクタプラグ４００も下方向に移動する。これにより、光コネクタプラグ４００の先端のコネクタが光コネクタ受側１０２からはずれることになる。
【００３１】
また、挿抜レバー５００とサブカードの動作関係を簡単に示すと、図５のようになる。図５に示すように、挿抜レバー５００は、サブカード３００のフロント側で連結部３０２により連結されている。そのため、ユニットカード２００の挿入の動作、および、引き抜く際の動作時には、サブカード３００と挿抜レバー５００は連動して可動するものとなる。
【００３２】
以上のように、本実施形態によれば、光ファイバケーブル接続用のコネクタをユニットカードの上部に位置させ、かつ、ユニットカードの搭載時や光ファイバケーブル接続用のコネクタとの接続時において、挿抜レバーによる一つの動作でユニットカードの挿入と、光ファイバケーブル接続用のコネクタの嵌合を同時に行なうことができるので、保守作業を前面で行うことができ、作業性が向上する。
【００３３】
このように、ユニットカードを前面保守する方式において、ユニットカードの挿抜レバーと連動して、ユニットカード上を前後に移動するサブカード、および、サブカード上にサブカードの前後移動に連動して上下に移動するコネクタ部を有する構造により、挿抜レバーの一つの操作によりユニットカードの挿抜をおこなう動作と光通信ケーブルのコネクタ部の嵌合動作を同時におこなうことができる。したがって、ユニットカード交換時に、外部通信用の光ファイバケーブル類に触れずに、ユニットカードの交換だけで行うことができる。
【符号の説明】
【００３４】
１００…シェルフ、１０１…バックパネルコネクタ、１０２…光コネクタ受側、１０３…外部装置接続用光ケーブル、１０４…コネクタ部スライドガイド溝、１０５…挿抜レバーロック受側、２００…ユニットカード、２０１…バックパネル挿入コネクタ、２０２…サブカードスライドガイド溝、２０３…光ケーブル、３００…サブカード、３０１…コネクタ部スライドガイド溝、３０２…連結部（サブカードと挿抜レバーにおける）、４００…光コネクタプラグ、５００…挿抜レバー、６００…連結部（ユニットカードとサブカードにおける）、６０１…光コネクタプラグ連結部。
【図１】
2015211084.tif 000003
【図２】
2015211084.tif 000004
【図３】
2015211084.tif 000005
【図４】
2015211084.tif 000006
【図５】
2015211084.tif 000007